(57)【特許請求の範囲】
【請求項１】
基材の一方の面に設けられた凹凸構造形成層と、前記凹凸構造形成層の少なくとも一部を被覆する反射層とを備え、
前記凹凸構造形成層が複数の画素に分割され、
これら複数の画素のうち、少なくとも一部の画素（第１画素）と他の画素（第２画素）にはそれぞれ第１凹凸構造と第２凹凸構造が形成され、
前記第1、２凹凸構造は、上面が前記基材面と略平行である複数の凸部、又は底面が前記基材面と略平行である複数の凹部と前記基材面と略平行な平坦部が配置され、
前記第２凹凸構造の１つの凹凸構造の平面図の形は、前記第１凹凸構造の１つの凹凸構造の平面図の形を一方向のみに縮小又は拡大したときに同一となり、前記第１、２凹凸構造において、その凹凸構造の配列方向は互いに平行であるが、ピッチは周期性がなくランダムであり、凹凸構造の異なる第１画素と第２画素の配列によって可視画像を構成することを特徴とする表示体。
【請求項２】
前記第1、２凹凸構造の平面図の形が四角形であることを特徴とする請求項１に記載の表示体。
【請求項３】
前記四角形の一辺と垂直な一方向のみに縮小又は拡大した場合に前記第1、２凹凸構造が同一になることを特徴とする請求項２に記載の表示体。
【請求項４】
前記第１、２凹凸構造の平面図の長辺及び短辺の長さがそれぞれ１μｍ以上且つ５０μｍ未満であることを特徴とする請求項１〜３のいずれかに記載の表示体。
【請求項５】
前記画素の一辺の長さが１４５μｍ以下であることを特徴とする請求項１〜４のいずれかに記載の表示体。
【請求項６】
前記第１、２凹凸構造の複数の凸部又は凹部の高さ又は深さが一定であり、０．１μｍ以上０．５μｍ以下であることを特徴とする請求項１〜５のいずれかに記載の表示体。
【請求項７】
前記面の一部又は逆側の一部に印刷層が設けられており、前記印刷層は前記凹凸構造により観察される表示色と略同一の色として知覚される色を表示するインキ又はトナーにより成形されていることを特徴とする請求項１〜６のいずれかに記載の表示体。
【請求項８】
印刷物基材を備え、前記印刷物基材の表面の少なくとも一部の領域に請求項１〜７に記載の表示体が設けられることを特徴とする情報印刷物。
【発明の詳細な説明】
【技術分野】
【０００１】
本発明は、偽造防止などで用いられる観察条件によって見え方が変化する表示体に係り、特に照明光の角度、観察方向などによって像の明るさや意図が変化するような、表示体及び情報印刷物に関する。
【背景技術】
【０００２】
近年、商品券や小切手等の有価証券類やクレジットカードやキャッシュカード、ＩＤカード等のカード類、パスポートや免許証等の証明書類の偽造防止を目的として、通常の印刷物とは異なる視覚効果をもつ表示体を転写箔やステッカー等の形態にして、前記証券類やカードなどの証明書類の表面に貼付、圧着するなどして設けることが行われている。また、有価証券類や証明書類以外の物品においても偽造品の流通が社会問題化しており、そのような物品についても同様の偽造防止技術を適用する機会が多くなってきている。
【０００３】
偽造防止技術としては、マイクロ文字、特殊発光インキ、すかし、回折格子、ホログラムなどがある。この偽造防止技術は、大きく二つに分けることができる。一つは、簡易な機器や測定装置などを使用して真偽を判別する偽造対策である。もう一つは、肉眼で容易に真偽判定が可能な偽造対策である。
【０００４】
最近では、電子線描画装置（ＥＢ装置）で様々な微細構造を作製し目視で類似技術と差別化できるセキュリティデバイスの開発が行われている。もっとも一般的なセキュリティデバイスとして、表面レリーフタイプのレインボウホログラムがある（例えば特許文献１参照）。
【０００５】
レインボウホログラムは、普通の印刷物に比べて構造が複雑で、高い微細加工技術を持つ特定の業者でないと作製が困難であり、複製を行うときに大規模な複製装置を必要とするので、小規模な複製が行いにくいという特徴がある（例えば、非特許文献１参照）。このため、偽造品の作製が困難である。
【０００６】
また、照明光を当てた時に、単波長に近い光で再生されるため虹の七色に対応した明るく鮮やかな色で観察でき、観察条件が変化したときに色や画像パターンが変化するという特徴的な見え方をする。このため、他の部材との違いが目視で容易に判別できる。
【０００７】
これらのことから、レインボウホログラムは、目視によるセキュリティ用途として優れており、偽造防止用の画像表示体として広く用いられてきている。
【０００８】
しかし、レインボウホログラムは、観察条件の変化が僅かであっても再生像の色が大きく変化するので、画像の色の違いを識別するのが難しい。このため、異なる画像が記録されているレインボウホログラムであっても、観察者に類似した印象を与えやすく、ホログラム同士では記録されている画像の違いが判別し難い。
【先行技術文献】
【特許文献】
【０００９】
【特許文献１】特願平２−７２３２０号公報
【非特許文献】
【００１０】
【非特許文献１】「ホログラフィの原理」、オプトロニクス社、P．ハリハラン  著
【発明の概要】
【発明が解決しようとする課題】
【００１１】
上述のように、レインボウホログラムの偽造防止用の画像表示体は、画像の色変化が大きいため、記録されている画像の違いが判別し難くいという欠点があった。
【００１２】
本発明は、このような問題点を解決するためになされたものであり、ホログラムと同様に観察条件によって色やパターンが変化するが、レインボウホログラムよりも色変化がゆるやかであり、通常の観察条件では、ほぼ同じ色に見え、且つ、レインボウホログラムと比べて画像の違いを判別し易いと共に、回折光量を制御することにより輝度変化を有する表示体及び情報印刷物を提供することを目的としている。
【課題を解決するための手段】
【００１３】
本発明の表示体は、基材の一方の面に設けられた凹凸構造形成層と、前記凹凸構造形成層の少なくとも一部を被覆する反射層とを備え、前記凹凸構造形成層が複数の画素に分割され、これら複数の画素のうち、少なくとも一部の画素（第１画素）と他の画素（第２画素）にはそれぞれ第１凹凸構造と第２凹凸構造が形成され、前記第1、２凹凸構造は、上面が前記基材面と略平行である複数の凸部、又は底面が前記基材面と略平行である複数の凹部と前記基材面と略平行な平坦部が配置され、前記第２凹凸構造の１つの凹凸構造の平面図の形は、前記第１凹凸構造の１つの凹凸構造の平面図の形を一方向のみに縮小又は拡大したときに同一となり、第１、２凹凸構造はともに周期性がなくランダムに配置され、凹凸構造の異なる第１画素と第２画素の配列によって可視画像を構成することを特徴とする。
【００１４】
また、本発明の表示体は、前記第1、２凹凸構造の平面図の形が四角形であることを特徴とする。
【００１５】
また、本発明の表示体は、前記四角形の一辺と垂直な一方向のみに縮小又は拡大した場合に前記第1、２凹凸構造が同一になることを特徴とする。
【００１６】
また、本発明の表示体は、第１、２凹凸構造の平面図の長辺及び短辺の長さがそれぞれ１μｍ以上且つ５０μｍ未満であることを特徴とする。
【００１７】
また、本発明の表示体は、前記画素の一辺の長さが１４５μｍ以下であることを特徴とする。
【００１８】
また、本発明の表示体は、前記第１、２凹凸構造の複数の凸部又は凹部の高さ又は深さが一定であり、０．１μｍ以上０．５μｍ以下であることを特徴とする。
【００１９】
また、本発明の表示体は、前記面の一部又は逆側の一部に印刷層が設けられており、前記印刷層は前記凹凸構造により観察される表示色と略同一の色として知覚される色を表示するインキ又はトナーにより成形されていることを特徴とする。
【００２０】
また、本発明の情報印刷物は、印刷物基材を備え、前記印刷物基材の表面の少なくとも一部の領域に設けられた本発明の表示体が設けられることを特徴とする。
【発明の効果】
【００２１】
本発明の表示体によれば、この表示体から通常の照明条件下で観察される回折光は、構造がランダムに配置されているため広い範囲の波長分布になる。よって、レインボウホログラムと比較して、おだやかな色で着色された画像が観察することが可能な表示体を提供することができる。また、第１凹凸構造と第２凹凸構造では、回折光量が射出方向毎で異なるため通常の照明条件下で観察される輝度が違い、グラデーションを表現することが可能である。また、観察方向を変えると第１、２の輝度が上記観察位置とは、逆転して観察されるので、観察位置を変えることにより表示画像を変化させることが可能である。
【００２２】
本発明の表示体によれば、第1、２凹凸構造の平面図の形は四角形である。四角形であるので回折光の射出する方向が限定される。よって、第1、２凹凸構造を観察したときの輝度変化を明確することが可能となる。
【００２３】
本発明の表示体によれば、四角形の辺と垂直な一方向のみに縮小又は拡大するので第１、２凹凸構造の平面図は正方形又は長方形に限定される。よって、第1、２凹凸構造を観察したときの輝度変化を明確することが可能となる。
【００２４】
本発明の表示体によれば、長辺の長さを５０μｍ未満にすることで、第１、第２凹凸構造から射出される回折光を正反射光から分離することができる。また、短辺を１μｍ以上にすることでコントラストの高い表示画像を得ることができる。
【００２５】
本発明の表示体によれば、画素の一辺の長さは１４５μｍ以下とすると良い。一辺の長さが１４５μｍ以下の画素を整然配列することで、表示体を肉眼で観察した際に、画素の形状が認識されるのを防ぐことができる。
【００２６】
本発明の表示体によれば、凸部又は凹部の高さ又は深さは０．１μｍ以上０．５μｍ以下で最もコントラストの高い色を表現することができ、視認性の向上が可能である。
【００２７】
本発明の表示体によれば、表示体に印刷層を設けている。印刷層はインキやトナーにより形成されており、インキやトナー固有の色を成し、通常の照明条件下及び通常の照明条件下以外の条件下によってその色が大きく変化することはない。一方第１、２凹凸構造は通常の照明条件下において固有の色を表示でき、照明条件が変化した際には色変化が起こる。機能が異なるこれら２つのそうが表示体内に形成されていることで通常の印刷層だけでは実現不可能な特有の視覚効果を付加することができる。
【００２８】
本発明の情報印刷物によれば、本発明による表示体を印刷物基材である、例えば印刷物やカード、その他の物品に貼りあわせる、又は、組み合わせることによって、従来の物品に高い偽造防止効果を有する情報印刷物を得ることが可能となる。
【図面の簡単な説明】
【００２９】
【図１】本発明の一実施の形態に係る表示体の概略構成を説明するために示した図である。
【図２】図１のＩ−Ｉを断面して示した図である。
【図３】図１のＡ領域を拡大して示した図である。
【図４】図１の表示体を通常の照明条件下で観察した状態を示した図である。
【図５】図４の観察位置を９０度ずらして観察した状態を示した図である。
【発明を実施するための形態】
【００３０】
以下、本発明の実施の形態に係る表示体及び情報印刷物について図面を参照して詳細に説明する。
【００３１】
図１は、本発明の一実施の形態に係る表示体の概要構成を示すものであり、図２は、図１のI−I断面を示すものである。即ち、表示体１０は、光透過層２（基材５と凹凸構造形成層６）と、印刷層４と、光反射層３との積層体を含んでいる。この例においては、光透過層２が凹凸構造形成層である。この図２に示す例では、印刷層４側を前面側（観察者側）とし、反射層側を背面側としている。
【００３２】
なお、図２中では、光透過層２の上に印刷層４を示しているが、光透過層２と反射層３との間に成形していても良い。また、反射層３は、部分的に設けられていても良い。
【００３３】
前記光透過層２の凹凸構造形成層６の凹凸構造領域１１には、上面が前記基材５面と略平行である複数の凸部、又は底面が前記基材５面と略平行である複数の凹部が備えられている。また、光透過層２の基材５の領域９には、印刷層４によって文字や絵柄、記号などの表示画像が形成されており、凹構造のない領域１７は、印刷層４や凹凸構造が存在しない領域である。
【００３４】
前記印刷層４は、文字や絵柄、記号などの画像を表示するものであり、該印刷層４の印刷方式に応じて、オフセットインキ、活版インキ、グラビアインキなど様々なインキが用いられている。印刷用に用いられるインキは、樹脂タイプのインキ、油性インキ、水性インキなど組成による分類や、酸化重合型インキ、浸透乾燥型インキ、蒸発乾燥型インキ、紫外線硬化型インキなど乾燥方式による分類ができ、基材５の種類や印刷方式に応じて適宜選択される。また、帯電性をもったプラスチック粒子に黒鉛、顔料などの色粒子を付着させたトナーを、静電気を利用してポリエチレンテレフタレート（ＰＥＴ）フィルムや紙などの基材５に転写させ、加熱し定着させることで印刷層４を形成する技術も一般的である。
【００３５】
図２では、一例として、光透過性の基材５と凹凸構造形成層６との積層体で構成された光透過層２を描いている。光透過性の基材５は、それ自体が単独で取り扱うことが可能なフィルム又はシートであり、例えば、ＰＥＴやポリカーボネート（ＰＣ）などを用いることができる。凹凸構造形成層６の材料としては、熱可塑性樹脂、又は光硬化性樹脂などの光透過性を有する樹脂を使用することができる。また、凹凸構造形成層６は、光透過性の基材５の上に形成された層である。図２に示す光透過層２の凹構造は、例えば光透過性の基材５の上に熱可塑性樹脂又は光硬化性樹脂を塗布し、この塗膜にスタンパを押し当てながら樹脂を硬化させることにより得られる。
【００３６】
光反射層３の材料としては、特に限定されないが、可視光に対し高い反射率を示すアルミニウムなどの金属材料を用いることが好ましい。また、金属膜層は、光学特性から２０〜５０ｎｍ程度が好ましい。光反射層３を積層する方法として、金属蒸着を用いることで形成することができる。
【００３７】
この光反射層３を部分的に設ける方法としては、気相堆積法により該光反射層３を設けた後、薬品などにより特定の部分のみを溶解したり、光反射層３と光透過性樹脂層との密着力よりも強い接着力をもつ接着材料によって特定部分の光反射層３を剥離する方法などがある。また、気相堆積法を行う前に光透過性樹脂層の前面に障壁を設けて光反射層３が形成されるのを防いだりする方法も用いられる。
【００３８】
次に、表示体１０の凹構造と光学的性質について説明する。
【００３９】
図３は、図１の領域Ａ、Ｂ、Ｃ、Ｄ、Ｅを拡大して示すものであり、図中では、説明の便宜上、４画素として表現しているが、実際には、多くの画素から構成されている。前記凹凸構造領域１１は、マトリックス状に配列された画素に５種類の異なる凹構造１２〜１６が領域Ａ、Ｂ、Ｃ、Ｄ、Ｅ毎に成形されている。図中の黒塗り部は、凹部を示している。
【００４０】
図３の凹構造１２〜１６は、凹構造１２〜１６の順番で長辺と短辺の長さ比が小さくなっており、１画素内で周期性がなくランダムに凹構造１２〜１６が配置されている。また、凹構造部が重畳する状態で成形されていても良い。凹構造１２の辺の長さは短辺が２μｍで長辺が４９μｍである。凹構造１３の辺の長さは、短辺が２μｍで長辺が４０μｍである。凹構造１４の辺の長さは、短辺が２μｍで長辺が２０μｍである。凹構造１５の辺の長さは、短辺が２μｍで長辺が５μｍである。凹構造１６の辺の長さすべて同じで２μｍである。凹構造１２〜１６の深さは、一定で０．２μｍである。印刷層４は、マゼンタのインキを用いている。
【００４１】
このような周期性がなくランダムに配置されている凹構造１２〜１６では、主に辺の長さによって回折光の光強度分布が決定される。Ｘ軸方向の辺の長さがωｘ、Ｙ軸方向の辺の長さがωｙの凹構造１２〜１６から距離Ｌだけ離れた光強度分布I(x，ｙ)は、凹構造１２〜１６に対して垂直入射した平面波を考えると、数１によって算出することができる。ここで、Ｘ軸とは、図１に示すように表示体１０と平行な面内での横軸を示している。
【数１】
0005834466.tif 000002
【００４２】
ωxは凹構造１２〜１６のＸ軸方向の辺の長さ、ωｙは凹構造１２〜１６のＹ軸方向の辺の長さ、λは波長、Ｌは凹構造１２〜１６から観察位置までの距離、Ｘ,Ｙは凹構造１２〜１６から距離Ｌだけ離れた観察位置に表示される０次回折光からのＸ軸方向、Ｙ軸方向の距離とする。
【００４３】
表示体１０の凹構造１２〜１６の一辺の長さは、１μｍ以上５０μｍ未満が好ましい。ここで、図４及び図５に示すように白色照明光源１８が表示体１０の垂直上方に備えられているとし、表示体１０の表面に対して垂直に（入射角α＝０°）方向から白色照明光が入射しているとする。また、可視光領域を４００ｎｍ〜８００ｎｍとし、表示体１０から５００ｍｍ離れた位置を観察位置とした場合の光強度分布は式（１）より算出することができる。凹構造１２〜１６の一辺の長さが５０μｍで波長が４００ｎｍである場合には、０次回折光の幅が８ｍｍである。よって、正反射光と回折光を分離できる大きさが一辺５０μｍ未満である。凹構造１２〜１６の大きさが１μｍ以下になると回折光の射出幅が広くなるため輝度が低下し視認しにくい。
【００４４】
上記では、一つの凹構造１２〜１６からの回折光について考えたが、実際には、凹構造１２〜１６がランダムに複数配置されている。よって、観察者１９が観察する光は、ある程度の範囲の波長の光が合わさったものとなり、その結果、複数の波長の光による色が観察される。
【００４５】
凹構造１２〜１６により表現される色は、凹構造１２〜１６の深さ、又は高さに応じて特定の波長の回折効率が低くなるため、結果として観察者１９に届く光は、入射した白色照明光源１８のうちの特定の波長成分が弱くなった光を知覚することになる。よって、凹構造１２〜１６の深さを異なる高さ、又は深さが異なる凹凸構造領域１１を成形することで、それぞれの凹凸構造領域１１を観察した際に異なる色を表示することが可能である。例として深さが０．３μｍでイエロー、０．２μｍでマゼンタの色が確認される。
【００４６】
また、凹凸構造１２〜１６の凸部の高さ、又は凹部の深さは、０．１μｍ以上０．５μｍ以下が好ましい。凸部の高さ、又は凹部の深さが０．１μｍより浅い場合は、製造時の外的要因（機械や環境のコンディションの変動や材料組成のわずかな変化等）により安定して同じ品質のものを作製するのが難しくなり、０．５μｍより深い場合は、細かく深い構造を精密に転写成形するのが難しくなる。
【００４７】
そして、前記画素の大きさは、１４５μｍ以内であることが好ましい。観察者１９が自分の眼から５００ｍｍ離してある位置の表示体１０の状態を観察すると、一般的に、視力が１．０の人間の眼の分解能は１分であるため、眼の分解能の限界により、１４５μｍ以下の構造は分解できない。よって、画素の長辺の長さを１４５μｍ以下とすると画素同士を分解することはできない。ゆえに、画素の長辺の長さを１４５μｍ以下とすることによって、より高品位な画像を表示する表示体１０を作製することが可能となる。
【００４８】
次に、表示体１０を通常の照明条件下でＸ軸方向の右側から観察した場合とＹ軸方向の下側から観察した場合について説明する。
【００４９】
まず、表示体１０を通常の照明条件下でＸ軸方向の右側から観察した場合について説明する。Ｘ軸方向の右側から観察すると図４に示すように、Ｔの上部分（領域Ａ、Ｂ、Ｃ、Ｄ、Ｅ）が領域Ａ、Ｂ、Ｃ、Ｄ、Ｅの順に輝度が高くなるためグラデーションのように知覚される。Ｔの下部分（領域Ｅ’）は、領域Ｅと同等の輝度で知覚される。色は、領域Ａ、Ｂ、Ｃ、Ｄ、Ｅ、Ｅ’のすべて同じでマゼンタに視認される。
【００５０】
次に、表示体１０を通常の照明条件下でＹ軸方向の下側から観察した場合について説明する。Ｙ軸方向の下側から観察すると、図５に示すようにＴの上部分（領域Ａ、Ｂ、Ｃ、Ｄ、Ｅ）が領域Ｅ、Ｄ、Ｃ、Ｂ、Ａの順に輝度が高くなるためグラデーションのように知覚される。Ｔの下部分（領域Ｅ’）は、領域Ｅと同等の輝度で知覚される。つまり、Ｘ軸方向及びＹ軸方向から観察した場合には、領域Ａ、Ｂ、Ｃ、Ｄ、Ｅの輝度の順番が逆転する効果を表現することが可能である。通常の照明条件下以外で領域Ａ、Ｂ、Ｃ、Ｄ、Ｅ、Ｅ’を観察した場合には、散乱光や正反射光が視認され色を視認することはできない。
【００５１】
また、印刷層４は、どの照明条件下でもマゼンタで認識されるため、凹構造１２〜１６と印刷層４を組み合わせることで表示体１０を傾けて観察すると表示画像が変化するなどの表現が可能となる。
【００５２】
表示体１０の色は、凹構造１２〜１６の深さを領域Ａ、Ｂ、Ｃ、Ｄ、Ｅごとに制御することによって、色のコントロールが可能である。色をコントロールすることによってオレンジ、ブルー、シアンなどの色の表現が可能でデザイン性を向上させることが可能である。
【００５３】
照明光源１８からの光が表示体１０に入射し、表示体１０の凹構造１２〜１６によって入射光が回折し、観察者１９が目視によってその光を知覚できるような条件を「通常の照明条件下」と定義する。例えば、一般的な室内で蛍光灯などの照明光のもとで表示体１０に照明光からの光が略垂直に入射し、観察者１９が目視によって表示体１０を観察する条件や、室外で太陽光などの照明光のもとで表示体１０に照明光からの光が略垂直に表示体１０の表面に入射し、観察者１９が表示体１０を観察するような条件が「通常の照明条件下」に相当する。ここで、「通常照明光」は、室内における蛍光灯や室外における太陽光などの照明光を示す。
【００５４】
本発明は、上記実施の形態に限ることなく、その他、実施段階ではその要旨を逸脱しない範囲で種々の変形を実施し得ることが可能である。さらに、上記実施形態には、種々の段階の発明が含まれており、開示される複数の構成要件における適宜な組合せにより、種々の発明が抽出され得る。
【００５５】
例えば実施形態に示される全構成要件から幾つかの構成要件が削除されても、発明が解決しようとする課題の欄で述べた課題が解決でき、発明の効果で述べられている効果が得られる場合には、この構成要件が削除された構成が発明として抽出され得る。
【産業上の利用可能性】
【００５６】
本発明によれば、この表示体から通常の照明条件下で観察される回折光は、構造がランダムに配置されているため広い範囲の波長分布になることで、レインボウホログラムと比較して、おだやかな色で着色された画像が観察することが可能となる。また、第１凹凸構造と第２凹凸構造では回折光量が射出方向毎で異なるため通常の照明条件下で観察される輝度が違い、グラデーションを表現することが可能となるうえ、観察方向を変えると第１、２の輝度が上記観察位置とは逆転して観察されるので、観察位置を変えることにより表示画像を変化させることが可能となることで、偽造防止を効果的に図ることができる。
【符号の説明】
【００５７】
２…光透過層
３…光反射層
４…印刷層
５…基材
６…凹凸構造形成層
９…領域
１０…表示体
１１…凹凸構造領域
１２…凹構造（領域Ａ）
１３…凹構造（領域Ｂ）
１４…凹構造（領域Ｃ）
１５…凹構造（領域Ｄ）
１６…凹構造（領域Ｅ）
１７…凹凸構造がない領域
１８…照明光源
１９…観察者
【図１】
0005834466.tif 000003
【図２】
0005834466.tif 000004
【図３】
0005834466.tif 000005
【図４】
0005834466.tif 000006
【図５】
0005834466.tif 000007